(57)【要約】【課題】  タバコの吸殻処理装置を構成する吸殻搬送体に好適に利用できる屈曲型スクリュー構造体の提供。【解決手段】  屈曲型スクリュー構造体４０は、スクリュー構造体を屈曲させる部分の屈曲部用樹脂エレメント２１ａとして、その軸部２３の一端側から中間まで第１軸挿通孔２５が形成され、他端側から前記中間までその軸線上に円形挿入孔４３が形成されたものを用い、  その屈曲部分の連結部材は、端部外周が円形挿入孔４３に整合すると共に、その端面に第２連結部挿入孔４９を有するユニバーサルジョイント４６と、その第２連結部挿入孔４９に整合する第２連結部５３を一端側に有し、他端側に前記第１軸挿通孔２５に整合する断面方形な第１連結部５２を有する金属製の連結子５１とを具備するものである。【選択図】        図１
2008222423.tif 000002
【特許請求の範囲】
【請求項１】
軸部（２３）の外周に螺旋翼（２４）が一体成型されると共に、その軸線上に断面方形の第１軸挿通孔（２５）が貫通された樹脂製の複数の樹脂エレメント（２１）と、それぞれの前記第１軸挿通孔（２５）に挿通され、複数の前記樹脂エレメント（２１）を軸方向に互いに密着して整列する断面が方形な第１軸（２２）を備えてスクリューユニットが構成され、
複数の前記スクリューユニット（２０）を連結部材（４５）で互いに屈曲自在に連結して構成されるスクリュー構造体であって、
スクリュー構造体を屈曲させる部分の樹脂エレメント（２１ａ）は、その軸部（２３）の一端側から中間まで前記第１軸挿通孔２５が貫通され、他端側から前記中間までその軸線上に円形挿入孔（４３）が貫通され、
スクリュー構造体を屈曲させる部分の前記連結部材（４５）は、端部外周が前記円形挿入孔（４３）に整合すると共に、その端面に第２連結部挿入孔（４９）を有するユニバーサルジョイント（４６）と、その第２連結部挿入孔（４９）に整合する第２連結部（５３）を一端側に有し、他端側に前記第１軸挿通孔（２５）に整合する断面方形な第１連結部（５２）を有する金属製の連結子（５１）とを具備することを特徴とする屈曲型スクリュー構造体。
【請求項２】
請求項１において、前記屈曲型スクリュー構造体を屈曲させる部分以外の連結部材は断面方形な第２軸（３１）を含み、前記第１軸（２２）の軸線上に形成した断面方形な第２軸挿通孔（２６）に前記第２軸（３１）を嵌入することによって、隣接するスクリューユニット（２０）が互いに連結されること特徴とする屈曲型スクリュー構造体。
【請求項３】
請求項１または請求項２において、前記屈曲型スクリュー構造体は、遊戯場におけるタバコの吸殻処理装置を構成するスクリュー構造体として用いられることを特徴とする屈曲型スクリュー構造体。
【発明の詳細な説明】
【技術分野】
【０００１】
本発明は遊技場におけるタバコの吸殻処理装置を構成する吸殻搬送体等に利用できる屈曲型スクリュー構造体に関する。
【背景技術】
【０００２】
例えば多くのパチンコ店では、多数のパチンコ機やスロット機などの遊技具を島状の設置部に配列し、その設置部の前面下部に細長いカウンターを設け、カウンターに沿って吸殻処理装置が設けられる。吸殻処理装置はカウンター上の遊技具ごとに設けた灰皿と、各灰皿に連通する細長い吸殻搬送部を備えている。タバコの吸殻はスノコ状の灰皿の底から落下孔を通過して吸殻搬送部に落下し、横方向に搬送されて吸殻回収部に回収される。このような吸殻処理装置は例えば特許文献１に記載されている。
【０００３】
図６は吸殻処理装置の１例を示す部分断面図である。吸殻処理装置１はカウンターの下側に沿って設けられた細長い板状のテンプレート２と、テンプレート２の下面に平行して取付けられた細長い樋体３と、テンプレート２と樋体３で囲まれた細長い空間に沿って配置された螺旋状のスクリュー構造体４を備えている。なおテンプレート２には遊技具５ごとに設けられる灰皿の底部に開口する落下孔６が設けられる。
【０００４】
スクリュー構造体４は軸体７とその外周に沿って連続する螺旋翼８を有し、軸体７の一方の端部は継手９を介して駆動モータ１０に連結され、他方の端部は軸受部１１に軸支される。軸受部１１の下方に吸殻回収部１２が配置される。吸殻回収部１２は上方が開放された箱体１３により構成され、箱体１３の両側面に取手１４が設けられる。そして箱体１３上方に延長する前記樋体３の底部に開口部１５が形成される。
【０００５】
図示しない灰皿からのタバコの吸殻は落下孔６を通して樋体３内に落下し、駆動モータ１０により低速回転するスクリュー構造体４の搬送作用により左方に搬送され、軸受部１１近傍まで搬送された吸殻は開口部１５から吸殻回収部１２の箱体１３内に落下する。箱体１３内には火の付いた吸殻を消火するために所定レベルまで水が収容されている。
【０００６】
最近、島状に形成した遊技具の設置部は特色を出すため途中がＲ形に曲折するものが多くなっている。Ｒ形のような屈曲部を有する設置部に設けられる吸殻処理装置は、設置部の屈曲部分に追従した形状で屈曲しながら延長しなければならないので、吸殻処理装置を構成する細長いスクリュー構造体４にもそのような屈曲部を形成する必要がある。スクリュー構造体４に屈曲部を形成する方法として、例えばスクリュー構造体４を複数のスクリューユニットに分割し、各スクリューユニットを互いに連結部材で連結し、スクリュー構造体４を屈曲させる部分の連結部材を金属製のユニバーサルジョイントで構成する方法が考えられる。
【０００７】
【特許文献１】特開平８−１０４３７号公報
【発明の開示】
【発明が解決しようとする課題】
【０００８】
上記スクリュー構造体４は軽量化および低コスト化等から樹脂成型により製造することが望ましい。スクリュー構造体４を樹脂エレメントの接続体とし、その屈曲部に市販のユニバーサルジョイントを連結部材として用いる場合、市販されているユニバーサルジョイントは、その両端部にそれぞれ設けられるジョイント部が、外周が短い円柱状でその端面に断面円形な軸挿通孔に形成され、その外周面から内部に固定用のピンを差し込むか又はビスをねじ込むためのピン孔が設けられているものが多い。これは旋盤等での加工上、接続する相手方の先端部を円柱状にすることが最も容易だからである。
【０００９】
そのようなユニバーサルジョイントのジョイント部とスクリュー構造体４を連結するには、例えば連結具として軸長が短い丸棒を用いることが考えられる。この場合、金属製の丸棒にピン孔を穿設しておき、スクリュー構造体４の樹脂エレメントの軸の端部には断面円形な軸挿通孔を形成する。そして、その軸挿通孔に丸棒の一端を押し込んで嵌着すると共に、丸棒の他端をユニバーサルジョイントのジョイント部に押し込んで嵌着する。次に樹脂エレメントの軸部分の外側からピンを差し込むか、またはビスをねじ込んで丸棒と軸の連結部分を固定し、さらにユニバーサルジョイントのジョイント部の外側からピンを差し込むか、またはビスをねじ込んで丸棒とジョイント部の連結部分を固定する方法が考えられる。
【００１０】
しかしこのような連結方法を採用すると、スクリュー構造体が回転する際に生じる周方向の応力がピンまたはビス部分に集中し、樹脂エレメントにおけるピンやビス周辺の樹脂に亀裂を生じ、最悪の場合はその部分が破断してスクリュー構造体４の分解や連結はずれを起こすおそれがある。そこで本発明は、これらの問題を生じない屈曲型スクリュー構造体を提供することを課題とする。
【課題を解決するための手段】
【００１１】
請求項１に記載の本発明は、軸部２３の外周に螺旋翼２４が一体成型されると共に、その軸線上に断面方形の第１軸挿通孔２５が貫通された樹脂製の複数の樹脂エレメント２１と、それぞれの前記第１軸挿通孔２５に挿通され、複数の前記樹脂エレメント２１を軸方向に互いに密着して整列する断面が方形な第１軸２２を備えてスクリューユニットが構成され、
複数の前記スクリューユニット２０を連結部材４５で互いに屈曲自在に連結して構成されるスクリュー構造体であって、
スクリュー構造体を屈曲させる部分の樹脂エレメント２１ａは、その軸部２３の一端側から中間まで前記第１軸挿通孔２５が貫通され、他端側から前記中間までその軸線上に円形挿入孔４３が貫通され、
スクリュー構造体を屈曲させる部分の前記連結部材４５は、端部外周が前記円形挿入孔４３に整合すると共に、その端面に第２連結部挿入孔４９を有するユニバーサルジョイント４６と、その第２連結部挿入孔４９に整合する第２連結部５３を一端側に有し、他端側に前記第１軸挿通孔２５に整合する断面方形な第１連結部５２を有する金属製の連結子５１とを具備することを特徴とする屈曲型スクリュー構造体である。
【００１２】
請求項２に記載の本発明は、請求項１において、前記屈曲型スクリュー構造体を屈曲させる部分以外の連結部材は断面方形な第２軸３１を含み、前記第１軸２２の軸線上に形成した断面方形な第２軸挿通孔２６に前記第２軸３１を嵌入することによって、隣接するスクリューユニット２０が互いに連結されること特徴とする屈曲型スクリュー構造体である。
【００１３】
請求項３に記載の本発明は、請求項１または請求項２において、前記屈曲型スクリュー構造体は、遊技場におけるタバコの吸殻処理装置を構成するスクリュー構造体として用いられることを特徴とする屈曲型スクリュー構造体である。
【発明の効果】
【００１４】
本発明の屈曲型スクリュー構造体は、請求項１に記載のように、スクリュー構造体を屈曲させる部分に配置される樹脂エレメント２１ａは、その軸部２３の一端側に第１軸挿通孔２５が貫通され、他端側にはその軸線上に円形挿入孔４３が貫通され、
同部分の連結部材４５のユニバーサルジョイント４６は、その端部外周が樹脂エレメント２１ａの円形挿入孔４３に整合すると共に、その端面に第２連結部挿入孔４９を有する。そして、その連結子５１は、その第２連結部挿入孔４９に整合する第２連結部５３を一端側に有し、他端側に前記第１軸挿通孔２５に整合する断面方形な第１連結部５２を有する。
【００１５】
このように構成すると、樹脂エレメント２１ａの軸部と連結子の第１連結部５２が方形による４面で互いに接触する構造となり、ピンやビスなしで、樹脂の軸体と連結子の共回りが防止できる上に、連結構造も簡単になる。しかも螺旋翼が回転する際に生じる周方向の応力は、方形による４つの接触面全体で受け止める構造になっているので、回転時において樹脂の一部に周方向の応力が集中することがなく、ピンやビスなどによる共回り防止策を採用する場合のような応力集中による樹脂亀裂というおそれがない。さらに、ユニバーサルジョイント４６の端部は、樹脂エレメント２１ａの円形挿入孔４３に整合して、両者が嵌着されるから、曲がり部における隣り合う樹脂エレメント２１ａ間の隙間を可及的に少なくして、曲がり部のタバコの吸殻の搬送を円滑に行える。また、ユニバーサルジョイント４６として大量に市販されている通常型のものをそのまま利用でき、結果として屈曲型スクリュー構造体を安価に提供できる。
【００１６】
また、前記スクリューユニットは、短い軸部の外周に螺旋翼が一体成型された樹脂製の複数の樹脂エレメントと、断面方形な第１軸を備え、各樹脂エレメントの軸部の軸線上に断面方形な第１軸挿通孔を貫通し、それら第１軸挿通孔に前記第１軸を嵌通することによって、複数の樹脂エレメントを互いに密着整列しているものである。
【００１７】
そのため、樹脂エレメントと第１軸が方形による４面で互いに接触するので、ピンやビスなしで樹脂エレメントと第１軸の共回りが防止できる上に、整列構造も簡単になる。しかも螺旋翼が回転する際に生じる周方向の応力は、方形による４つの接触面全体で受け止める構造になっているので、回転時において樹脂の一部に周方向の応力が集中することがなく、応力集中による樹脂亀裂というおそれもない。
【００１８】
上記屈曲型スクリュー構造体で、請求項２に記載のように、前記スクリュー構造体を屈曲させる部分以外の連結部材は断面方形な第２軸を含むもので構成し、前記第１軸の軸線上に形成した断面方形な第２軸挿通孔に前記第２軸を嵌入することによって、隣接するスクリューユニットを互いに連結することができる。このように断面が方形な第２軸挿通孔に対し、断面が方形な短い第２軸を嵌入すると、ピンやビスなしで第１軸と第２軸の共回りが防止できる上に、連結構造が簡単になり、屈曲させる部分以外の連結構造を容易に構成できる。
【００１９】
上記いずれかの屈曲型スクリュー構造体は、請求項３に記載のように、遊技場におけるタバコの吸殻処理装置を構成するスクリュー構造体として用いることができる。パチンコ店などの遊技場に設置されるスクリュー構造体の軸長はかなり長いので、軸長を自由に選択できる本発明に係るスクリュー構造体が好適に利用できる。
【発明を実施するための最良の形態】
【００２０】
次に、図面に基づいて本発明の最良の実施の形態を説明する。図１は本発明に係る屈曲型スクリュー構造体における屈曲部分の樹脂エレメント２１ａ、ユニバーサルジョイント４６および連結子５１の分解斜視図であり、図２はその組立状態の軸断面図である。
【００２１】
屈曲型スクリュー構造体４０の屈曲部分は、図１に示す如く、一対のスクリューユニット（要部のみを示す）を金属製のユニバーサルジョイント４６を含む一対の連結子５１で互いに連結して構成される。その曲がり部に配置される一対の曲がり部用の樹脂エレメント２１ａは、軸部２３の外周に沿って軸方向に連続する螺旋翼２４が一体に形成され、その軸部２３の中間から一端にその軸線上に断面正方形の第１軸挿通孔２５が貫通されている。また、軸部２３の中間から他端には断面円形な円形挿入孔４３が貫通されている。なお円形挿入孔４３は後述するように、ユニバーサルジョイント４６の両端部の円柱状のジョイント部４８外周に整合する。
【００２２】
連結部材４５の中央部には、一般に市販されている金属製のユニバーサルジョイント４６を使用できる。図示されている市販品のユニバーサルジョイント４６は、直交する二軸５４の回りに回転する回転機構４７とその両側に延長する２つの円柱状のジョイント部４８を備えている。各ジョイント部４８の端面には断面円形な第２連結部挿入孔４９が設けられ、そのジョイント部４８には半径方向に貫通するピン孔５０が形成され、その位置で環状溝が外周に形成されている。
【００２３】
連結子５１は、樹脂エレメント２１ａの軸部２３の第１軸挿通孔２５に整合する断面方形な第１連結部５２と、ユニバーサルジョイント４６のジョイント部４６に設けた断面円形な第２連結部挿入孔４９に整合する第２連結部５３を有する。そして第２連結部５３にピンが貫通するピン孔５０が設けられている。連結子５１は金属材とすることが好ましいが、高強度樹脂材で構成することもできる。
【００２４】
図２はユニバーサルジョイント４６に連結子５１を連結して、樹脂エレメント２１ａに装着した状態を示す軸断面略図である。ユニバーサルジョイント４６の一方のジョイント部４８の第２連結部挿入孔４９に連結子５１の第２連結部５３を挿入しており、その状態でピン４２をジョイント部４８のピン孔５０および連結子５１のピン孔５０に貫通し、バネ４１で抜け止めすることにより、ユニバーサルジョイント４６に連結子５１の第２連結部５３が固定される。
【００２５】
そして、ユニバーサルジョイント４６を連結した連結子５１の第１連結部５２を、樹脂エレメント２１ａの第１軸挿通孔２５に押し込む。このとき、ユニバーサルジョイント４６のジョイント部４８は樹脂エレメント２１ａの円形挿入孔４３に挿入されている。また、連結子５１の第１連結部５２の端面は第１軸挿通孔２５の中間位置に達し、その挿通孔２５の残部には、後述する第１軸２２の軸端部または、その軸を短く切断したブロックが挿入される。
【００２６】
次に、直線部分におけるスクリューユニット２０は、図５に示す如く、多数の樹脂エレメント２１と、それらを直列に接続する断面が方形な金属製の第１軸２２を備えている。直線部分における樹脂エレメント２１は図３に示す如く、軸部２３とその外周に形成した螺旋翼２４と、軸部２３の軸線上に貫通した第１軸挿通孔２５とを有し、射出成形機械の金型で一体的に成形して作ることができる。なお、軸部の中間部にはピン挿通孔２７が設けられている。
【００２７】
図３（ａ）は樹脂エレメント２の正面図で、同（ｂ）はその左側面図である。これらの図に示すように、螺旋翼２４は軸部２３の周方向に２７０度分だけ形成され、残りが切欠状態になっている。螺旋翼２４の両端は軸部２３の両端に一致しており、その縁面２９は軸部２３から半径方向に延長した状態とされる。このように構成すると、後述するように複数の樹脂エレメント２１を軸方向に整列する際に、互いに螺旋翼２４が密着して連続した１つの細長い螺旋翼２４が形成できると共に、樹脂エレメント２１の一体成形が可能になり、成型用の金型も簡単化できるという利点がある。
【００２８】
第１軸２２はその軸線上に第２軸挿通孔２６を有する矩形管状のものであり、金属ブロックを押出成型して作ることができるが、材料金属としては、押出性のよいアルミニウムまたはその合金を用いることが望ましい。第１軸２２は金属製とすることが望ましいが、樹脂製であってもよい。
【００２９】
スクリューユニット２０を構成するには複数の樹脂エレメント２１を密着整列させる。そのために、樹脂エレメント２１の軸部２３の第１軸挿通孔２５に第１軸２２を貫通する。
【００３０】
複数のスクリューユニット２０を互いに軸方向に連結するためには、図５に示す如く、各ユニットの両第１軸２２の第２軸挿通孔２６に短い第２軸３１の両端部を挿入すればよい。なお、第２軸３１の軸方向移動を阻止するため、ユニットの端部に位置する樹脂エレメント２１には、その挿通孔２７にストッパ部材３０を挿入する。
【００３１】
図４は１本の剛性の高い針金材の中央部を折り返して２本足に形成した割りピンからなるストッパ部材３０を用い、そのストッパ部材３０を樹脂エレメント２１の挿通孔２７および第１軸２２の挿通孔２８に装着した状態である。これは、ストッパ部材３０の脚部を互いに整合させて、樹脂エレメント２１の挿通孔２７と第１軸２２の挿通孔２８に挿入し、その先端部を返したものである。
【００３２】
スクリューユニット２０の屈曲部においては、図１に示す如く、その端部に前述の樹脂エレメント２１ａを配置する。このとき、第１軸２２の軸端は樹脂エレメント２１ａの第１軸挿通孔２５の中間部まで挿入され、その残部には連結子５１の第１連結部５２が挿入される。なお、それに代えて、図１に示す如く、ブロック状の第１軸２２を樹脂エレメント２１ａの第１軸挿通孔２５に挿入し、第２軸３１を介して、直線部におけるスクリューユニット２０と連結してもよい。
【００３３】
このようにしてなるスクリュー構造体の一端部は図６の如く軸受部１１で支持され、他端部は駆動モータ１０に連結される。それらにより、スクリュー構造体が軸方向に移動しないように位置決めされる。
【産業上の利用可能性】
【００３４】
本発明の屈曲型スクリュー構造体は、例えば遊技場におけるタバコの吸殻処理装置を構成するスクリュー構造体として利用できる。
【図面の簡単な説明】
【００３５】
【図１】本発明に係る屈曲型スクリュー構造体における屈曲部分の要部分解斜視図およびその樹脂エレメント２１ａの軸線上の断面図。
【図２】同屈曲部分を構成するユニバーサルジョイント、連結子、樹脂エレメントの軸線上の断面図。
【図３】同構造体の直線部分に用いられる樹脂エレメント２１の正面図および左側面図。
【００３６】
【図４】図５のIV−IV矢視断面略図。
【図５】同構造体の直線部におけるスクリューユニットどうしの接続構造を示す一部破断要部正面図。
【図６】吸殻処理装置の１例を示す部分断面図。
【符号の説明】
【００３７】
１  吸殻処理装置
２  テンプレート
３  樋体
４  スクリュー構造体
５  遊技具
６  落下孔
７  軸部
８  螺旋翼
９  継手
１０  駆動モータ
１１  軸受部
１２  吸殻回収部
１３  箱体
１４  取手
１５  開口部
【００３８】
２０  スクリューユニット
２１  樹脂エレメント
２１ａ  樹脂エレメント
２２  第１軸
２３  軸部
２４  螺旋翼
２５  第１軸挿通孔
２６  第２軸挿通孔
２７，２８  挿通孔
２９  縁面
３０  ストッパ部材
３１  第２軸
【００３９】
４０  屈曲型スクリュー構造体
４１  バネ
４２  ピン
４３  円形挿入孔
４５  連結部材
４６  ユニバーサルジョイント
４７  回転機構
４８  ジョイント部
４９  第２連結部挿入孔
５０  ピン孔
５１  連結子
５２  第１連結部
５３  第２連結部
５４  軸
【図１】
2008222423.tif 000003
【図２】
2008222423.tif 000004
【図３】
2008222423.tif 000005
【図４】
2008222423.tif 000006
【図５】
2008222423.tif 000007
【図６】
2008222423.tif 000008